(57)【要約】【課題】ファン取付構造において、ファンの取付けを容易に行うことができ、ファンの取付け作業性を改善する。【解決手段】位置決め用治具４のシャフト部４ａ，４ｂは、シャーシ側取付孔２２ｂ，２２ｃに貫通されて、先端がシャーシ２から突出される。ファン１は、ファン側取付孔１９ｂ，１９ｃにシャフト部４ａ，４ｂの先端が挿通されることにより、ファン側取付孔１９ａ，１９ｄがシャーシ側取付孔２２ａ，２２ｄと合わさるように位置決めされる。固定用ビス３ａ，３ｂは、ファン側取付孔１９ａ，１９ｄに貫通され、かつ、シャーシ側取付孔２２ａ，２２ｄに螺合され、これにより、ファン１がシャーシ２に固定されて取付けられる。シャーシ２から突出するシャフト部４ａ，４ｂの先端部分は十分に高くすることができ、これにより、ファン１の位置決めが安定し、ファン１の取付け作業性が向上する。【選択図】図１
2007120347.tif 000002
【特許請求の範囲】
【請求項１】
回転翼及び該回転翼の回転駆動用のモータが胴部に保持されたファンと、前記ファンが取付けられるシャーシとを備えたファン取付構造において、
前記ファンの胴部は、前記ファンを前記シャーシへ取付けるために用いられる４つの略同一径のファン側取付け用ボス孔（以下、ボス孔と記す）を長方形の頂点に位置する４箇所に有し、
前記シャーシは、前記ボス孔よりも小径の４つの略同一径のシャーシ側取付け用ネジ孔（以下、ネジ孔と記す）を前記ボス孔に対応する４箇所に有し、
前記ネジ孔に貫通したうえでさらに前記ボス孔に挿通し得る径及び長さを持つ２本のシャフト部が前記４箇所のネジ孔のうち対角に位置する２つのネジ孔の間隔で設けられた、前記ファンを位置決めするために用いられる位置決め用治具と、
前記ボス孔に貫通したうえでさらに前記ネジ孔に螺合し得る径及び長さ径を持つ、前記ファンを固定するために用いられる２本の固定用ビスとを備え、
前記位置決め用治具は、２本のシャフト部が、前記シャーシの前記ファンを取付ける反対側から、前記４箇所のネジ孔のうち任意の対角に位置する２つのネジ孔に貫通されて、それらの先端が前記シャーシの前記ファンを取付ける側に突出され、
前記ファンは、前記位置決め用治具のシャフト部の先端が前記ボス孔に挿通されることにより、前記ボス孔が前記ネジ孔と合わさるように位置決めされ、
前記２本の固定用ビスは、前記ファンを取付ける側から、前記４箇所のボス孔のうち前記位置決め用治具の２本のシャフト部が挿通されていない２つのボス孔に貫通され、かつ、前記ネジ孔に螺合されて、前記ファンを前記シャーシに固定し、
前記シャーシは鉄製であり、
前記位置決め用治具は、磁石付きであり、前記ファンを位置決めするときに前記磁石の磁力により前記シャーシに固着され、前記ファンを前記固定用ビスにより前記シャーシに固定した後に前記シャーシから取外され、
前記位置決め用治具の２本のシャフト部の長さは、前記ファンを位置決めするためにシャフト部の先端が前記ボス孔に挿通されたときに、先端が前記ファンの胴部の厚みの略半分の位置になる長さであることを特徴とするファン取付構造。
【請求項２】
回転翼及び該回転翼の回転駆動用のモータが胴部に保持されたファンと、前記ファンが取付けられるシャーシとを備えたファン取付構造において、
前記ファンの胴部は、前記ファンを前記シャーシへ取付けるために用いられる複数のファン側取付孔を有し、
前記シャーシは、複数のシャーシ側取付孔を前記ファン側取付孔に対応する箇所に有し、
前記シャーシ側取付孔に貫通したうえでさらに前記ファン側取付孔に挿通し得るシャフト部が設けられた、前記ファンを位置決めするために用いられる位置決め用治具と、
前記ファン側取付孔に貫通したうえでさらに前記シャーシ側取付孔に挿通し得る、前記ファンを固定するために用いられる固定用ビスとを備え、
前記位置決め用治具は、シャフト部が、前記シャーシの前記ファンを取付ける反対側から、前記複数のシャーシ側取付孔のうちのいずれかのシャーシ側取付孔に貫通されて、その先端が前記シャーシの前記ファンを取付ける側に突出され、
前記ファンは、前記位置決め用治具のシャフト部の先端が前記ファン側取付孔に挿通されることにより、前記ファン側取付孔が前記シャーシ側取付孔と合わさるように位置決めされ、
前記固定用ビスは、前記ファンを取付ける側から、前記複数のファン側取付孔のうち前記位置決め用治具のシャフト部が挿通されていないファン側取付孔に貫通され、かつ、前記シャーシ側取付孔に螺合又は貫通してカシメられて、前記ファンを前記シャーシに固定することを特徴とするファン取付構造。
【請求項３】
前記シャーシは鉄製であり、
前記位置決め用治具は、磁石付きであり、前記ファンを位置決めするときに前記磁石の磁力により前記シャーシに固着され、前記ファンを前記固定用ビスにより前記シャーシに固定した後に前記シャーシから取外され、
前記位置決め用治具のシャフト部の長さは、前記ファンを位置決めするためにシャフト部の先端が前記ファン側取付孔に挿通されたときに、先端が前記ファンの胴部の厚みの略半分の位置になる長さであることを特徴とする請求項２に記載のファン取付構造。
【発明の詳細な説明】
【技術分野】
【０００１】
本発明は、例えばレーザプリンタ、ＤＶＤレコーダ、パソコン等の電子機器に内蔵されるファンのファン取付構造に関するものである。
【背景技術】
【０００２】
従来から、電子機器に内蔵される冷却用の小型のファンは、板金のシャーシに取付けられる。ファンをシャーシに取付けるファン取付構造は、ファンの取付け用ボス孔をシャーシの取付け用ネジ孔に合わせるようにファンを位置決めし、固定用ビスをファンの取付け用ボス孔を通してシャーシの取付け用ネジ孔に螺合させることにより、ファンを固定用ビスによりシャーシに固定して取付けるようになっている。ファンの位置決めは、シャーシの位置決め用ボスにファンの位置決め用ボス孔を係合させることにより行われる。従来のファン取付構造では、シャーシの位置決め用ボスは、シャーシを絞り凸にすることにより形成されている。
【０００３】
また、ファンをファンボックスに嵌め込み、ファンを嵌め込んだ状態のファンボックスを筐体の切り欠き部に嵌め込み、その際に、筐体に形成されたフック部をファンボックスに形成されたフック係合部に係合させることにより、ファンを筐体に取付けるようにしたファン取付構造が知られている（例えば特許文献１参照）。また、ファンのフランジの底面に形成された嵌合孔を筐体の底板に形成された突起部に嵌合することにより、ファンを筐体の底板上に位置決めし、上面固定板をファンのフランジの上面に固着するように取付ブラケットに取付けることにより、ファンを筐体に取付けるようにしたファン取付構造が知られている（例えば特許文献２参照）。さらに、シャーシに取付けられたファンホルダのガイド柱に沿ってファンを押し込むことにより、ファンをファンホルダに嵌め込んでシャーシに取付けるようにしたファン取付構造が知られている（例えば特許文献３参照）。
【特許文献１】特開２００５−１９７４２１号公報
【特許文献２】特開２００５−６４０４６号公報
【特許文献３】特開２００２−５７４８０号公報
【発明の開示】
【発明が解決しようとする課題】
【０００４】
ところが、上述した従来のファン取付構造においては、位置決め用ボスは、シャーシを絞り凸にすることにより形成されるため、背を高くすることが困難であり、背が低いものであった。つまり、従来のファン取付構造では、位置決めボスの背が低いため、位置決め用ボスによるファンの位置決めが不安定で、ファンを位置決めした状態に保持しておくのが困難であり、ファンの取付け作業性が悪かった。また、シャーシを切り起こして位置決めボスを形成することも考えられるが、このような構造は、シャーシの切り起こしである位置決め用ボスが変形し易く、また、シャーシの形状によりシャーシの切り起こしができないことも多いため、不向きである。なお、上述した特許文献１及び特許文献３に開示の内容を適用したとしても、上記の課題を解決することはできない。
【０００５】
本発明は、上記課題を解決するためになされたものであり、ファンの取付けを容易に行うことができ、ファンの取付け作業性を改善できるファン取付構造を提供することを目的とする。
【課題を解決するための手段】
【０００６】
上記目的を達成するために請求項１の発明は、回転翼及び該回転翼の回転駆動用のモータが胴部に保持されたファンと、ファンが取付けられるシャーシとを備えたファン取付構造において、ファンの胴部は、ファンをシャーシへ取付けるために用いられる４つの略同一径のファン側取付け用ボス孔（以下、ボス孔と記す）を長方形の頂点に位置する４箇所に有し、シャーシは、ボス孔よりも小径の４つの略同一径のシャーシ側取付け用ネジ孔（以下、ネジ孔と記す）をボス孔に対応する４箇所に有し、ネジ孔に貫通したうえでさらにボス孔に挿通し得る径及び長さを持つ２本のシャフト部が４箇所のネジ孔のうち対角に位置する２つのネジ孔の間隔で設けられた、ファンを位置決めするために用いられる位置決め用治具と、ボス孔に貫通したうえでさらにネジ孔に螺合し得る径及び長さ径を持つ、ファンを固定するために用いられる２本の固定用ビスとを備え、位置決め用治具は、２本のシャフト部が、シャーシのファンを取付ける反対側から、４箇所のネジ孔のうち任意の対角に位置する２つのネジ孔に貫通されて、それらの先端がシャーシのファンを取付ける側に突出され、ファンは、位置決め用治具のシャフト部の先端がボス孔に挿通されることにより、ボス孔がネジ孔と合わさるように位置決めされ、２本の固定用ビスは、ファンを取付ける側から、４箇所のボス孔のうち位置決め用治具の２本のシャフト部が挿通されていない２つのボス孔に貫通され、かつ、ネジ孔に螺合されて、ファンをシャーシに固定し、シャーシは鉄製であり、位置決め用治具は、磁石付きであり、ファンを位置決めするときに磁石の磁力によりシャーシに固着され、ファンを固定用ビスによりシャーシに固定した後にシャーシから取外され、位置決め用治具の２本のシャフト部の長さは、ファンを位置決めするためにシャフト部の先端がボス孔に挿通されたときに、先端がファンの胴部の厚みの略半分の位置になる長さであるものである。
【０００７】
請求項２の発明は、回転翼及び該回転翼の回転駆動用のモータが胴部に保持されたファンと、ファンが取付けられるシャーシとを備えたファン取付構造において、ファンの胴部は、ファンをシャーシへ取付けるために用いられる複数のファン側取付孔を有し、シャーシは、複数のシャーシ側取付孔をファン側取付孔に対応する箇所に有し、シャーシ側取付孔に貫通したうえでさらにファン側取付孔に挿通し得るシャフト部が設けられた、ファンを位置決めするために用いられる位置決め用治具と、ファン側取付孔に貫通したうえでさらにシャーシ側取付孔に挿通し得る、ファンを固定するために用いられる固定用ビスとを備え、位置決め用治具は、シャフト部が、シャーシのファンを取付ける反対側から、複数のシャーシ側取付孔のうちのいずれかのシャーシ側取付孔に貫通されて、その先端がシャーシのファンを取付ける側に突出され、ファンは、位置決め用治具のシャフト部の先端がファン側取付孔に挿通されることにより、ファン側取付孔がシャーシ側取付孔と合わさるように位置決めされ、固定用ビスは、ファンを取付ける側から、複数のファン側取付孔のうち位置決め用治具のシャフト部が挿通されていないファン側取付孔に貫通され、かつ、シャーシ側取付孔に螺合又は貫通してカシメられて、ファンをシャーシに固定するものである。
【０００８】
請求項３の発明は、請求項２に記載のファン取付構造において、シャーシは鉄製であり、位置決め用治具は、磁石付きであり、ファンを位置決めするときに磁石の磁力によりシャーシに固着され、ファンを固定用ビスによりシャーシに固定した後にシャーシから取外され、位置決め用治具のシャフト部の長さは、ファンを位置決めするためにシャフト部の先端がファン側取付孔に挿通されたときに、先端がファンの胴部の厚みの略半分の位置になる長さであるものである。
【発明の効果】
【０００９】
請求項１の発明によれば、シャーシから突出される位置決め用治具のシャフト部の先端部分が位置決め用ボスの役割を果たし、シャフト部の先端部分がファンのボス孔に挿通されることにより、ファンのボス孔がシャーシのネジ孔と合わさるように位置決めされ、このとき、シャフト部の先端は、ファンの胴部の厚みの略半分の位置になる。従って、ファンのボス孔に挿通されるシャフト部の先端部分が短すぎることなく、これにより、ファンの位置決めが安定し、ファンを位置決めした状態に保持しておくことが容易となり、ファンの取付けを容易に行うことができ、ファンの取付け作業性が向上する。しかも、シャフト部の先端部分がファンの胴部から突出することがなく、これにより、シャフト部の先端部分が固定用ビスによるファンの固定作業の邪魔にならず、ファンの取付け作業を円滑に行うことができ、ファンの取付け作業性が向上する。また、位置決め用治具を用いてファンの位置決めを行うため、部品の追加は発生しない。さらに、位置決め用治具は、シャフト部をシャーシのネジ孔に抜き差しするだけで容易にシャーシに脱着でき、シャーシに装着したときには、磁石の磁力によりシャーシに固着されるので、ファンを位置決め及び固定するときにシャーシから脱落することがない。
【００１０】
請求項２の発明によれば、シャーシから突出される位置決め用治具のシャフト部の先端部分が位置決め用ボスの役割を果たし、シャフト部の先端部分がファン側取付孔に挿通されることにより、ファン側取付孔がシャーシ側取付孔と合わさるように位置決めされる。従って、位置決め用治具のシャフト部をシャーシの厚み（シャーシ側取付孔の長さ）に応じて適切な長さとすることにより、シャーシから突出されるシャフト部の先端部分を十分に高くする（すなわち背の高い位置決め用ボスを形成する）ことができ、これにより、ファンの位置決めが安定し、ファンを位置決めした状態に保持しておくことが容易となり、ファンの取付けを容易に行うことができ、ファンの取付け作業性が向上する。しかも、位置決め用治具を用いてファンの位置決めを行うため、部品の追加は発生しない。また、位置決め用治具は、位置決め用治具のシャフト部をシャーシ側取付孔に抜き差しするだけで容易に脱着できる。
【００１１】
請求項３の発明によれば、ファンを位置決めするために位置決め用治具のシャフト部の先端部分をファン側取付孔に挿通したとき、シャフト部の先端は、ファンの胴部の厚みの略半分の位置になる。従って、ファン側取付孔に挿通されるシャフト部の先端部分が短すぎることなく、これにより、ファンの位置決めが安定し、ファンを位置決めした状態に保持しておくことが容易となり、ファンの取付けを容易に行うことができ、ファンの取付け作業性が向上する。しかも、シャフト部の先端部分がファンの胴部から突出することがなく、これにより、シャフト部の先端部分が固定用ビスによるファンの固定作業の邪魔にならず、ファンの取付け作業を円滑に行うことができ、ファンの取付け作業性が向上する。さらに、位置決め用治具は、シャフト部をシャーシ側取付孔に抜き差しするだけで容易にシャーシに脱着でき、シャーシに装着したときには、磁石の磁力によりシャーシに固着されるので、ファンを位置決め及び固定するときにシャーシから脱落することがない。
【発明を実施するための最良の形態】
【００１２】
以下、本発明を具体化した実施形態によるファン取付構造について図面を参照して説明する。図１（ａ）（ｂ）（ｃ）、図２は、ファン取付構造を示す。ファン１は、シャーシ２に、２本の固定用ビス３ａ，３ｂを用いて取付けられる。また、ファン１をシャーシ２に取付けるとき、ファン１をシャーシ２に位置決めするために、位置決め用治具４が用いられる。
【００１３】
ファン１は、回転翼１１及び回転翼１１の回転駆動用のモータ１２が支持部１３を介して胴部１４に保持された構成になっている。胴部１４は、略矩形の平板状をしており、空気の流通路であるファン開口１５と、ファン１をシャーシ２へ取付けるために用いられる４つのファン側取付孔１９ａ，１９ｂ，１９ｃ，１９ｄとを有している。ファン開口１５は、胴部１４の略中央に設けられており、ファン開口１５内に回転翼１１及びモータ１２が配置されている。ファン側取付孔１９ａ〜１９ｄは、ネジ溝が形成されていないボス孔であり、胴部１４の４隅に、長方形の頂点に位置する４箇所に設けられている。ファン側取付孔１９ａ〜１９ｄの径は、略同じであり、例えば略４．２ｍｍとなっている。
【００１４】
シャーシ２は、平板状の鉄製の板金から成り、ファン１により流通される空気を通気するための通気口２１と、ファン１をシャーシ２へ取付けるために用いられる４つのシャーシ側取付孔２２ａ，２２ｂ，２２ｃ，２２ｄとを有している。シャーシ側取付孔２２ａ〜２２ｄは、ネジ溝が形成されたネジ孔であり、ファン側取付孔１９ａ〜１９ｄに対応する（すなわちファン側取付孔１９ａ〜１９ｄに合致可能な）４箇所に設けられている。シャーシ側取付孔２２ａ〜２２ｄの径は、略同じであり、ファン側取付孔１９ａ〜１９ｄの径よりも小さく、例えば略４．０ｍｍとなっている。
【００１５】
固定用ビス３ａ，３ｂは、ファン１をシャーシ２に取付けて固定するために用いられるビスである。固定用ビス３ａ，３ｂは、ファン側取付孔１９ａ〜１９ｄに貫通したうえでさらにシャーシ側取付孔２２ａ〜２２ｄに螺合し得る寸法になっている。すなわち、固定用ビス３ａ，３ｂのネジ部（シャフト部）３１ａ，３１ｂの径は、ファン側取付孔１９ａ〜１９ｄの径よりも小さく、シャーシ側取付孔２２ａ〜２２ｄの径と略同じであり、例えば略４．０ｍｍとなっており、ネジ部３１ａ，３１ｂの長さは、ファン１の胴部１４の厚みにシャーシ２の厚みを足し合わせた長さよりも長くなっている。また、固定用ビス３ａ，３ｂの頭部３２ａ，３２ｂの径は、ファン側取付孔１９ａ〜１９ｄの径よりも大きくなっている。
【００１６】
位置決め用治具４は、ファン１をシャーシ２に取付けるときにファン１を位置決めするために用いられる治具であり、２本のシャフト部４１ａ，４１ｂが連結部４２により一体に連結されており、連結部４２に磁石４３が取付けられている。２本のシャフト部４１ａ，４１ｂは、シャーシ側取付孔２２ａ〜２２ｄのうち対角に位置する２つのシャーシ側取付孔の間隔で設けられている。シャフト部４１ａ，４１ｂは、シャーシ側取付孔２２ａ〜２２ｄに貫通したうえでさらにファン側取付孔１９ａ〜１９ｄに挿通し得る寸法になっている。すなわち、シャフト部４１ａ，４１ｂの径は、シャーシ側取付孔２２ａ〜２２ｄの径、及びファン側取付孔１９ａ〜１９ｄの径よりも小さく、例えば略３．５ｍｍとなっており、ネジ部４１ａ，４１ｂの長さは、シャーシ２の厚みにファン１の胴部１４の略半分の厚みを足し合わせた長さになっている。
【００１７】
図３（ａ）（ｂ）は、ファン１をシャーシ２に取付ける方法を示す。ファン１は、以下のようにして、シャーシ２に取付けられる。まず、位置決め用治具４の２本のシャフト部４１ａ，４１ｂを、シャーシ２のファン１を取付ける反対側から、４箇所のシャーシ側取付孔２２ａ〜２２ｄのうち任意の対角に位置する２箇所のシャーシ側取付孔（図示の例ではシャーシ側取付孔２２ｂと２２ｃ）に貫通し、それらの先端をシャーシ２のファン１を取付ける側に突出させる（図３（ａ）参照）。このとき、位置決め用治具４は、磁石４３の磁力によりシャーシ２に固着され、シャフト部４１ａ，４１ｂの先端がシャーシ２から突出した状態に保持される。
【００１８】
続いて、ファン１のファン側取付孔１９ａ〜１９ｄ（図示の例ではファン側取付孔１９ｂと１９ｃ）に位置決め用治具４のシャフト部４１ａ，４１ｂの先端を挿通させる（図３（ｂ）参照）。これにより、ファン１のファン開口１５がシャーシ２の通気口２１と合わさると共に、ファン側取付孔１９ａ〜１９ｄがシャーシ側取付孔２２ａ〜２２ｄと合わさり、ファン１がシャーシ２に位置決めされる。このとき、位置決め用治具４のシャフト部４１ａ，４１ｂの長さは、上述のようにシャーシ２の厚みにファン１の胴部１４の略半分の厚みを足し合わせた長さになっているため、シャフト部４１ａ，４１ｂの先端は、ファン１の胴部１４の厚みの略半分の位置になる。
【００１９】
そして、２本の固定用ビス３ａ，３ｂのネジ部３１ａ，３１ｂを、ファン１を取付ける側から、４箇所のファン側取付孔１９ａ〜１９ｄのうちシャフト部４１ａ，４１ｂが挿通されていない２箇所のファン側取付孔（図示の例ではファン側取付孔１９ａと１９ｄ）に貫通させ、かつ、シャフト部４１ａ，４１ｂが貫通されていない２箇所のシャーシ側取付孔（図示の例ではシャーシ側取付孔２２ａと２２ｄ）に螺合させて締めつける。これにより、ファン１がシャーシ２に固定されて取付けられた状態になり、その後、位置決め用治具４をシャーシ２から取外す（上記図１（ａ）（ｂ）（ｃ）参照）。位置決め用治具４は、磁石４３によりシャーシ２に固着されているだけなので、引っ張ることにより容易にシャーシ２から取外すことができる。
【００２０】
このようなファン取付構造によれば、シャーシ２から突出される位置決め用治具４のシャフト部４１ａ，４１ｂの先端部分が位置決め用ボスの役割を果たし、シャフト部４１ａ，４１ｂの先端部分がファン側取付孔１９ｂと１９ｃ、又はファン側取付孔１９ａと１９ｄに挿通されることにより、ファン側取付孔１９ａ〜１９ｄがシャーシ側取付孔２２ａ〜２２ｄと合わさるように位置決めされ、このとき、シャフト部４１ａ，４１ｂの先端は、ファン１の胴部１４の厚みの略半分の位置になる。
【００２１】
従って、ファン側取付孔１９ａ〜１９ｄに挿通されるシャフト部４１ａ，４１ｂの先端部分が短すぎることなく、これにより、ファン１の位置決めが安定し、ファン１を位置決めした状態に保持しておくことが容易となり、ファン１の取付けを容易に行うことができる。しかも、シャフト部４１ａ，４１ｂの先端部分がファン１の胴部１４から突出することがなく、これにより、シャフト部４１ａ，４１ｂの先端部分が固定用ビス３ａ，３ｂによるファン１の固定作業の邪魔にならず、ファン１の取付け作業を円滑に行うことができる。
【００２２】
また、位置決め用治具４を用いてファン１の位置決めを行うため、部品の追加は発生しない。さらに、位置決め用治具４は、シャフト部４１ａ，４１ｂをシャーシ２のシャーシ側取付孔２２ａ〜２２ｄに抜き差しするだけで容易にシャーシ２に脱着でき、シャーシ２に装着したときには、磁石４３の磁力によりシャーシ２に固着されるので、ファン１を位置決め及び固定するときにシャーシ２から脱落することがない。
【００２３】
なお、本発明は、上記実施形態の構成に限られず、種々の変形が可能である。例えば、上記実施形態において、位置決め用治具４のシャフト部４１ａ，４１ｂは、ファン１を位置決めするためにシャフト部４１ａ，４１ｂの先端がファン側取付孔１９ａ〜１９ｄに挿通されたときに（従ってファン１がシャーシ２に取付けられたときに）、先端がファン１の胴部１４から突出する長さであってもよい。シャーシ側取付孔２２ａ〜２２ｄをネジ溝が形成されていないボス孔とし、固定用ビス３ａ、３ｂにタッピンネジを用いて、固定用ビス３ａ、３ｂをシャーシ側取付孔２２ａ〜２２ｄに螺合させてもよい。シャーシ側取付孔２２ａ〜２２ｄは、バーリング加工が施されていてもよい。固定用ビス３ａ、３ｂは、シャーシ側取付孔２２ａ〜２２ｄに螺合させることに代えて、シャーシ側取付孔２２ａ〜２２ｄを貫通させて先端をカシメてもよい。
【図面の簡単な説明】
【００２４】
【図１】（ａ）は本発明の一実施形態に係るファン取付構造のファンをシャーシに取付けた状態のファン側から見た斜視図、（ｂ）は同シャーシ側から見た斜視図、（ｃ）は（ａ）のＡ−Ａ線断面図。
【図２】同ファン取付構造のファンをシャーシに取付ける前の分解斜視図。
【図３】同ファン取付構造のファンをシャーシに取付ける方法を示す図であり、（ａ）はシャーシに位置決め用治具を装着した状態の斜視図、（ｂ）はファンをシャーシに位置決めした状態の斜視図。
【符号の説明】
【００２５】
１    ファン
２    シャーシ
３ａ，３ｂ    固定用ビス
４    位置決め用治具
１１    回転翼
１２    モータ
１３    支持部
１４    胴部
１５    ファン開口
１９ａ，１９ｂ，１９ｃ，１９ｄ    ファン側取付孔
２１    通気口
２２ａ，２２ｂ，２２ｃ，２２ｄ    シャーシ側取付孔
３１ａ，３１ｂ    ネジ部
３２ａ，３２ｂ    頭部
４１ａ，４１ｂ    シャフト部
４３    磁石
【図１】
2007120347.tif 000003
【図２】
2007120347.tif 000004
【図３】
2007120347.tif 000005